(57)【要約】【課題】権限のない人物や偽造鍵などによる錠の暗号化要素への自由なアクセスを排除することのできる施錠装置の提供を目的とする。【解決手段】鍵、鍵穴を有する筐体、往復運動ラム、係止モジュール及びデッドロックを備える開示された施錠装置の技術的解決は新たな構造を有する。向上した施錠装置は、往復運動ラムと相互作用する制御ユニットと、制御ユニットと相互作用する鍵引出機とを備える。往復運動ラムでは、鍵穴に対して反対位置に設置される鍵用の溝があり、往復運動ラムは鍵穴の重複部分に取り付けられ、制御ユニットと相互作用する。施錠組立部は、筐体に対して固定された係止モジュールと移動可能な係止モジュールとの間で相互作用する形態で動作する。固定係止モジュールは、暗号化開口部及び／または鍵凹部に一致する暗号化突起部を有する。位置決め鍵引出機は、開錠中にラム溝から前述のコード突起部との接触位置へ鍵が移動する手段を提供する。【選択図】１
2008527203.tif 000002
【特許請求の範囲】
【請求項１】
施錠装置は、鍵、鍵穴を有する筐体、往復運動ラム、係止モジュール、及び少なくとも１つのデッドロックを備える。向上した施錠装置は、さらに、前記往復運動ラムと相互作用する制御ユニットと、前記制御ユニットと相互作用する鍵引出機とを備える。前記往復運動ラムにおいて、前記鍵穴に対して反対位置に設置される鍵用のスロットがあり、前記往復運動ラムは前記鍵穴の重複部分に取り付けられ、前記制御ユニットと相互作用する。施錠組立部は、前記筐体に対して、固定された固定係止モジュールと移動可能な可動係止モジュールとの間で相互作用する形態で動作する。前記固定係止モジュールは、暗号化開口部及び／または鍵凹部に一致する暗号化突起部を有する。位置決め鍵引出機は、開錠中に、ラム溝から前記暗号化突起部との接触位置へ前記鍵が移動する手段を提供する。また、前記可動係止モジュールは、前記制御ユニットと協力して、少なくとも１つの円材と相互作用する手段を提供する。
【請求項２】
前記スロットの端側表面の前記鍵と接触した状態で動作される前記往復運動ラムの鍵溝を備えることを特徴とする請求項１に記載の施錠装置。
【請求項３】
軽微な張力で前記スロットの接触表面に沿いながら動作する前記鍵引出機を備えることを特徴とする請求項２に記載の施錠装置。
【請求項４】
前記ラムと前記固定係止モジュールとの間に設けられた筐体の方向に、バネ動作鍵停止機構をさらに備えることを特徴とする請求項１に記載の施錠装置。
【請求項５】
前記制御ユニットに接続され、前記円材を異なる方向に動作させる装置をさらに備えることを特徴とする請求項１〜４のいずれかに記載の施錠装置。
【発明の詳細な説明】
【技術分野】
【０００１】
本発明は、事務所施設及び家屋のドア、金庫等の施錠装置に関する。
【背景技術】
【０００２】
本発明にもっと近い従来技術の施錠装置が、特許文献ＳＵ  １７９２４７８号において開示されている。この特許文献の従来の施錠装置は、ロック筐体に固定された鍵穴を有するケースと、ケースと協働し錠座及び鍵引出部を保持することで制御されるキャリアと、を備える。ケースは、平底及び鍵を備え、キャリアはお互いに荷重を受ける平板の形状を有する。平板の端面はケースに配置され、キャリアが接触面に沿ってケースの底と協働できるようにする。鍵とキャリアの機構（メカニズム）は、お互いに対して交差する向きに位置している。この機構は一組の座を有し、それぞれの各座はキャリアの同軸の穴、ケース底、各座に位置される弾性ピンの対からなる。第1ピンは、キャリアの厚さと同様の長さを有する一方で、第２ピンの長さは、鍵とキャリアの厚さの合計で構成される。鍵は、上述の第２ピンより大きなピンを保持する機構の座と一致する少なくとも１つの開口部を備える。
【発明の開示】
【発明が解決しようとする課題】
【０００３】
鍵穴を通して容易に暗号化要素にアクセスできる可能性が、従来技術及び他の公知な装置の主な欠点となっている。この事実は、不正にドアや金庫を開錠する場合に、ピッキングツールやそれらに類似する道具などにより、暗号化手段の施錠要素の操作を可能にしている。開示されている構造は、上述したような欠点を有していないが、２６０以上の膨大な暗号化要素の組み合わせにより、錠の暗号化要素へのアクセスが妨げられるため、極めて高いセキュリティとされている。
【課題を解決するための手段】
【０００４】
権限のない人物や偽造鍵などによる錠の暗号化要素への自由なアクセスを排除することにより、本発明の実施で達成されうる技術的解決として、装置の操作機能を向上する。
【０００５】
鍵、鍵穴を有する筐体、往復運動ラム、係止モジュール及び少なくとも１つのデッドロックを備える開示された施錠装置の技術的解決は、新たな構造を有する。向上した施錠装置は、さらに、往復運動ラムと相互作用する制御ユニットと、制御ユニットと相互作用する鍵引出機とを備える。往復運動ラムにおいて、鍵穴に対して反対位置に設置される鍵用の溝があり、往復運動ラムは鍵穴のその重複部分に取り付けられ、制御ユニットと相互作用する。施錠組立部は、筐体に対して固定された係止モジュールと移動可能な係止モジュールとの間で相互作用する形態で動作する。固定係止モジュールは、暗号化開口部及び／または鍵凹部に一致する暗号化突起部を有する。位置決め鍵引出機は、開錠中に、ラム溝から前述のコード突起部との接触位置へ鍵が移動する手段を提供する。また、可動係止モジュールは、制御ユニットと協力して、少なくとも１つの円材と相互作用する手段を提供する。
【０００６】
それに加えて、特有な状況において、本発明は実施可能である。これらの状況によれば、往復運動ラムの鍵溝は、溝の端側表面において、鍵と接触した状態で動作される。また、鍵引出機は、軽微な張力で溝の接触表面に沿いながら動作する。装置は、さらに、往復運動ラムと固定係止モジュール及び制御ユニットに接続された円材を異なる方向に移動する機器との間にある筐体に向かってバネで動作する鍵の停止機構を備える。
【発明を実施するための最良の形態】
【０００７】
本発明の実施形態において、鍵穴２を有する筐体１と、カムユニット３５となる制御ユニットに相互作用する突起部８で、鍵３及び突起部８の鍵細溝７を形成する往復運動ラム６と、段付き保持錠座１３の一組を備え、段付き保持錠座１３を有する同軸であるバネ動作保持錠座１２の一組を有する中間レバー２５の方へ、バネ２４により強制的に出される可動係止モジュール１０に相互作用する鍵３において、鍵３の暗号化開口部４及び暗号化凹部５に一致する暗号化突起部１５を有する筐体１の内部に固定された固定係止モジュール１４と、カムユニット３５により動かされ、鍵溝２０を備える滑動押さえ具１８と、バネ動作鍵停止機構９と、可動下部鍵板１６と、遮断板２２を有し、トラクション２３により中間レバー２５から起動される使用済み鍵用の箱２１と、施錠機構を操作し、錠ノブ３６の外側から運動し始めるカムユニット３５と、開錠時には中間レバー２５に接続され、施錠時には突起部４４に接続されるレバー２８により、カムユニット３５の突起部４３から動作される円材３１（または複数の円材）と、レバー１７により可動下部鍵板１６を駆動するカム５１とカム５２とを備えるレバー４８の補助でカムユニット３５により動作し、錠が閉位置にある場合は、円材をブロックし、錠が開位置にある場合は、円材を半固定とする突起部３３を有していて、バネ３４によりバネ動作される固定装置３２を備える薄長鍵引出機５０と、を備える。
【０００８】
施錠機構は以下のように動作する。閉位置において、円材３１は最大限に筐体１から引き出され、固定装置３２の突起部３３により固定される。往復運動ラム６の鍵細溝７は、鍵穴２と一致する（図２）。バネ１１の動作下において、停止するまで段付き保持錠座１３を係止モジュール１４の内部に動かし、可動係止モジュール１０のバネ動作保持錠座１２は、固定係止モジュール１４の開口部と同軸になり、それによって、バネ２４の作用下においてモジュール１０の動作を制限する。そのとき、円材２８の駆動レバーとそれに連なる中間レバー２５とは、下の位置に固定されている。第一に、カムユニット３５の回転角は、中間レバー２５への突起部４２である回転制限により限定され、第二に、レバー２８の対応溝２９は、円材３１の突起部４３の回転半径上に位置するので、錠ノブ３６と交差するカムユニット３５の回転により、固定された円材３１の作用を制限する。
【０００９】
開錠に関して、鍵３は外側から鍵穴２を通して、所定の方法（図４）において、往復運動ラム６の細溝７内に挿入して止まるようにする必要がある。鍵３の斜角（splay）は、細溝７の応答突起部の方向に、前向きかつ上向きに面していなければならない。そうでなければ、鍵が完全に鍵穴２に入らない。細溝７の内部で、鍵の端に沿っていくときに、いくつかの点において、鍵３は細溝７の壁に接触する。鍵３の表面の大部分は、細溝７（図５）の壁に対して狭い隙間を有する。これにより、細溝７の壁に暗号穴４及び暗号凹部５からの鍵による接触跡を残さない。
【００１０】
開錠の次の段階では、外側の錠ノブ３６からの図１の矢印により示された戻りバネ５３（図８）の作用に打勝つ方向へ旋回する。この場合、カムユニットは旋回する。第一に、カム３７が始動される。往復運動ラム６の突起部８を経て、細溝７に位置する鍵３と一緒に移動するラムは、鍵引出機５０の面と細溝７が一致するまで、鍵引出機５０の方へ移動する（図６）。そのとき、筐体１の鍵穴２は、密着して取付けられた往復運動ラム６の前面により完全に覆われている。鍵引出機５０は、鍵３が動く迷路への入口を閉じ、錠ノブが開始位置になるまで、錠が徐々に上がっていく段階全体において閉じられた状態を保つ。この全過程により、部外者による暗号化要素の開錠を防ぐ。カムユニット３５がさらに旋回した場合、往復運動ラム６の突起部８は、往復運動ラムに作用することなく、装置３の円筒形表面に沿って滑動する。
【００１１】
次にカム３９が始動される。レバー４８の突起部４９を押すことにより、レバーが軸周りに回転し、この結果、鍵引出機５０を駆動し、鍵引出機５０は、最小の隙間を作って往復運動ラム６の細溝７へ入って行き、バネ動作停止機構９を介して、鍵３を滑動押さえ具１８の鍵溝２０へ挿入する。鍵３が完全に鍵溝２０に入ると、停止機構９は、そのバネの作用により、前回の位置に戻る。鍵引出機５０の内部に対応するほぞ穴があり、そのほぞ穴により停止機構の動きは全く妨害されることはない。以上により、固定係止モジュール１４内にある暗号化突起部１５が凹印刷された鍵または鍵の代替物が、鍵穴２の外側から抜けることを防ぐ。係止開放後、本物の鍵は内部の鍵箱２１に残り、係止を解除しようとする無駄な努力をしても、開錠の無駄な試みの後、この機構と無関係な鍵はドアまたは金庫の内部に落ちるであろう。
【００１２】
ラム６の鍵溝７から鍵３を押出すと同時に、鍵引出機５０に位置するカム５１は、滑動押さえ具１８の鍵溝２０からの鍵３の出口を覆う可動下部鍵板１６を、滑動押さえ具１８の方へ移動するレバー１７を軸周りに回す。そのため、鍵溝２０内の鍵３は、一端において鍵引出機５０と、他端において可動下部鍵板１６とにより保持され、カム４１が始動される。レバー４６の突起部４７を移動すると、突起部４７は軸周りを回転し、バネ１９が押圧されることにより、鍵３が鍵溝２０に位置した状態で、固定係止モジュール１４の方向へ滑動押さえ具１８を動かす。鍵が本物であれば、モジュール１４の暗号化突起部１５は、鍵３の対応する暗号穴４及び暗号凹部５に入る。バネを押込む間、段付き保持錠座１３は、バネ動作保持錠座１２を、可動係止モジュール１０及び可動係止モジュール１４の接触面と正確に一致するように動かし、その段付き保持錠座１３を完全に収める押さえ具に面したモジュール１４の平面に、滑動押さえ具１８は、鍵３を密着させる。その結果、滑動押さえ具１８は、軸周りに回転する中間レバー２５の方向に、バネ２４の作用により直ちに移動されるモジュール１０を開放する。
【００１３】
権限のない人物が合鍵を使用したとしても、鍵の平面が正確に固定係止モジュールの面に接し、同時に、全ての保持錠座を正確に押し付けるので、可動係止モジュールを開放するのは不可能に近く、そのため錠は外されない。中間レバー２５のスロット２７は、カムユニット３５の回転制限の突起部４２と一致し、カムユニット３５は、開錠の間さらに回転させることができる。中間レバー２５に接続された円材を駆動するレバー２８は、円材を開放する円材スロット３１から、レバー２８の突起部により、固定装置３２の突起部３３を押出して、この円材を開放する。レバー２８のスロット２９は、円材スロット３１の突起部４３から移動され、突起部４３から外れた状態にあり、スロット２９により突起部４３はレバー２８に作用を及ぼすことができる。レバー２８が円材スロット３１を突起部３０により筐体１内部に動かす一方で、カムユニット３５をさらに回転させ、突起部４２が、カムユニットの回転を妨げることなく、レバー２５のスロット２７を通り抜ける。そして、突起部４３が駆動する円材のレバー２８を押し、その結果、開錠される。
【００１４】
開錠の間に軸周りを旋回する中間レバー２５は、トラクション２３により内部鍵箱２１の遮断板２２を開ける（図７）。
【００１５】
開錠位置において、固定装置３２の突起部３３が円材に少し入り込んでいるため、円材３１は半固定されている。
【００１６】
戻りバネ５３の作用下において、錠ノブ３６にかかる力がなくなった後、錠ノブ３６は基本位置に戻る。係止要素が復旧し、逆の手順が行われる。カムユニット３５が逆に回転している間、カム４１は滑動押さえ具１８を開放し、筐体１にぶつかって停止する位置まで移動して、鍵引出機５０の面における開始位置に戻り、固定係止モジュール１４の暗号化された突起部１５から鍵３を除去する。そして、カム４０は突起部４９により、レバー４８を回転して、レバー４８は、往復運動ラム６を開放し、筐体１の往復運動ラム６の細溝７から鍵引出機を引出すレバー４８を回転する。同時に、カム５２によって、鍵引出機５０は、レバー１７を回転して、レバー１７は、可動下部錠板１６を、鍵３を開放する位置へ滑動し、鍵３は滑動押さえ具１８の鍵溝２０から自重により落下する。遮断板が開いている場合、鍵３は内部鍵箱２２（２１）に入る。異なる鍵が使用される場合は開錠されず、内部鍵箱２１の遮断板は閉じたままである。この場合、錠下部板１６の鍵溝２０を開いた後、合鍵は内部鍵箱２１を通過してドア内部に落下して、施錠不良を合図する。
【００１７】
カム３８は最後に始動される。鍵穴２が開いた状態で往復運動ラム６の鍵細溝７と整合する往復運動ラム６を開始位置に戻す。そのとき、錠ノブ３６は、前回位置に戻る。
【００１８】
錠ノブ３６を開場する方向と反対の方向に、軽く動かすことにより施錠が行われる。錠ノブ３６により動作するカムユニット３５は、戻りバネ５４の力に打勝つと共に、中間レバー２５の突起部２６に作用するカム４５によって、カムユニット３５は、カム４５を軸の周りに回転させ、バネ２４を押し、保持錠座の開口部が同一軸となる開始位置に、可動係止モジュール１０を戻す。バネ１１の作用により、バネ動作保持錠座１２は、固定係止モジュール１４内の段付き保持錠座１２を止まるまで移動し、バネ動作保持錠座１２及び段付き保持錠座１２自身により、不動係止モジュール１０を係止する。同時に、突起部４４は、円材３１に直接作用して、固定装置３２の突起部３３により施錠されるまで、円材３１の深いスロット内へ筐体１から円材３１を押出す。円材は筐体から押出され固定される。錠がかけられ、その後、カムユニット３５と共に錠ノブ３６は、力または戻りバネ５４の作用により開始位置に戻る。錠ノブ３６を開場する方向と反対の方向に、軽く動かすことにより施錠が行われる。錠ノブ３６により動作するカムユニット３５は、戻りバネ５４の力に打勝つと共に、中間レバー２５の突起部２６に作用するカム４５によって、カムユニット３５は、カム４５を軸の周りに回転させ、バネ２４を押し、保持錠座の開口部が同一軸となる開始位置に、可動係止モジュール１０を戻す。
【図面の簡単な説明】
【００１９】
【図１】閉鎖位置における施錠機構の全般的な図である。
【図２】図１のＡ−Ａの断面部分を示している。
【図３】施錠鍵の全般的な図を示している。
【図４】鍵穴に鍵を入れる過程を示している。
【図５】鍵穴内部での鍵位置を示している。
【図６】開錠時の錠の個々の要素の位置を示している。
【図７】内部鍵箱の全般的な図を示している。
【図８】錠ノブ取付の好適な変形例の１つを示している。
【図１】
2008527203.tif 000003
【図２】
2008527203.tif 000004
【図３】
2008527203.tif 000005
【図４】
2008527203.tif 000006
【図５】
2008527203.tif 000007
【図６】
2008527203.tif 000008
【図７】
2008527203.tif 000009
【図８】
2008527203.tif 000010
【国際調査報告】
2008527203.tif 000011
2008527203.tif 000012